(57)【要約】    【課題】１枚以上の四角シートを結合したり、連結したりすることで、傘や日除け、敷物、大容量袋、横断幕などとしても兼用できる多用途シートを実現する。    【解決手段】四角状のシートの各辺に挿通孔を所定の間隔で開けてあり、前記挿通孔に挿通する挿通紐を有している。付属品として、２本の対角線バーと取っ手用の支柱を有している。このように、四角形のシートの４辺に挿通孔を所定の間隔で設けてあり、前記挿通孔に挿通する挿通紐を有しているため、このような多用途シートを１枚以上用意しておいて、結合したり、連結したりすることで、請求項２以下のように、傘や日除け、各種サイズの敷物、大小の袋、横断幕などとしても兼用可能となり、多用途のシートとして便利で重宝できる。  【選択図】図１
0003133123.tif 000002
【実用新案登録請求の範囲】
【請求項１】
四角形のシートの各辺に挿通孔を所定の間隔で開けてあり、前記挿通孔に挿通する挿通紐を有していることを特徴とする多用途シート。
【請求項２】
２枚以上の四角シートの１辺同士を重ね又は隣接させると共に互いの挿通孔に挿通紐を挿通することで２枚以上の四角シートを連結してシート面積を拡張してなることを特徴とする請求項１に記載の敷物又は空中シート。
【請求項３】
単一の四角シート又は複数連結してなる拡張シートを二つ折りにして両側の辺の挿通孔に挿通紐を挿通して互いに結合し、残りの辺を開閉口としてなることを特徴とする請求項１に記載の袋状の物入れ。
【請求項４】
単一の四角シート又は複数連結してなる拡張シートを２枚以上重ねた状態の１辺とその両側の辺の挿通孔に挿通紐を挿通して２枚以上の３辺を互いに結合し、残りの１辺を開閉口としてなることを特徴とする請求項１に記載の袋状の物入れ。
【請求項５】
２枚以上の四角シートの隣接する辺同士を重ね又は隣接させると共に互いの挿通孔に挿通紐を挿通することで２枚以上の四角シートを１列に連結して１方向に拡張することで横断幕又は垂れ幕としたことを特徴とする請求項１に記載の横断幕又は垂れ幕。
【請求項６】
１枚の四角シートの１辺の挿通孔に挿通した挿通紐を腰に巻くための取付け手段としてなることを特徴とする請求項１に記載のエプロン又はパレオ。
【請求項７】
１枚の四角シートの対角線上に対角線バーを配置して、それぞれの両端を角部の挿通孔に挿入支持すると共に、中央位置の交点を取っ手棒の上端に支持してなることを特徴とする請求項１に記載の簡易傘。
【考案の詳細な説明】
【技術分野】
【０００１】
本考案は、１枚以上の四角シートによって傘や日除け、フリーサイズの敷物、大小の袋、横断幕などとして使用できる多用途シートに関する。
【背景技術】
【０００２】
実用新案登録第3122596 号によると、１枚の四角形のシートを用いて携帯が容易な多用途な買い物袋を提供することが提案されている。また、特開2002−114262号では、方形の布の四周に折り返し縁を形成して折り返し縁内の空間を四隅の開口部に連通し、空間にエンドレスの紐を挿通すると共に、この紐を開口部から取り出し、各様に絞り込むことにより収納部を形成することが提案されている。
【特許文献１】実用新案登録第3122596 号
【特許文献２】特開2002−114262号
【考案の開示】
【考案が解決しようとする課題】
【０００３】
しかしながら、特許文献１の構造では、１枚の四角形のシートで買い物袋を構成できると共に、使用しない場合は、風呂敷のように拡げて小さく折り畳んで携帯できるという利点はあるものの、用途は買い物袋専用である。一方、特許文献２の構造は、各辺縁を拡げた状態では方形の布となって一般的な風呂敷として使用できる上、紐によって四方の辺縁を絞り込むと隙間のない各様の袋状収納部を形成できる効果はあるが、これ以上の用途は不可能である。例えば、傘や日除け、フリーサイズの敷物、大小の袋、横断幕などとしても兼用可能とすることは不可能である。本考案の技術的課題は、このような問題に着目し、１枚以上の四角シートを結合したり、連結したりすることで、傘や日除け、敷物、大容量袋、横断幕などとしても兼用できる多用途シートを実現することにある。
【課題を解決するための手段】
【０００４】
本考案の技術的課題は次のような手段によって解決される。請求項１は、四角形のシートの各辺に挿通孔を所定の間隔で設けてあり、前記挿通孔に挿通する挿通紐を有していることを特徴とする多用途シートである。このように、四角形のシートの各辺に挿通孔を所定の間隔で設けてあり、前記挿通孔に挿通する挿通紐を有しているため、このような多用途シートを１枚以上用意しておいて、挿通孔に挿通紐を挿通して結合したり、連結したりすることで、請求項２以下のように、傘や日除け、各種サイズの敷物、大小の袋、横断幕などとしても兼用可能となり、多用途のシートとして便利で重宝できる。
【０００５】
請求項２は、２枚以上の四角シートの１辺同士を重ね又は隣接させると共に互いの挿通孔に挿通紐を挿通することで２枚以上の四角シートを連結してシート面積を拡張してなることを特徴とする請求項１に記載の敷物又は空中シートである。このように、２枚以上の四角シートの１辺同士を重ね又は隣接させると共に互いの挿通孔に挿通紐を挿通することで２枚以上の四角シートを連結してシート面積を拡張してなるため、屋内外で任意サイズの敷物として使用したり、風雨を避けたり、日除けなどのための空中シートとして重宝できる。
【０００６】
請求項３は、単一の四角シート又は複数連結してなる拡張シートを二つ折りにして両側の辺の挿通孔に挿通紐を挿通して互いに結合し、残りの辺を開閉口としてなることを特徴とする請求項１に記載の袋状の物入れである。このように、単一の四角シート又は複数連結してなる拡張シートを二つ折りにして両側の辺の挿通孔に挿通紐を挿通して互いに結合し、残りの辺を開閉口としてなる構成は、各種の物品を収納する袋として使用でき、特に四角形のシート全体が袋となるので、大量に又は大型品でも収納でき、大型の袋状物入れとなる。
【０００７】
請求項４は、単一の四角シート又は複数連結してなる拡張シートを２枚以上重ねた状態の１辺とその両側の辺の挿通孔に挿通紐を挿通して２枚以上の３辺を互いに結合し、残りの１辺を開閉口としてなることを特徴とする請求項１に記載の袋状の物入れである。このように、単一の四角シート又は複数連結してなる拡張シートを２枚以上重ねた状態の１辺とその両側の辺の挿通孔に挿通紐を挿通して２枚以上の３辺を互いに結合し、残りの１辺を開閉口としてなる構成は、シート全面で袋が構成されるので、大型の袋となる。或いは２以上の袋を重ねた状態となるので、分別して収納するような場合に重宝できる。
【０００８】
請求項５は、２枚以上の四角シートの隣接する辺同士を重ね又は隣接させると共に互いの挿通孔に挿通紐を挿通することで２枚以上の四角シートを１列に連結して１方向に拡張することで横断幕又は垂れ幕としたことを特徴とする請求項１に記載の横断幕又は垂れ幕である。このように、２枚以上の四角シートの隣接する辺同士を重ね又は隣接させると共に互いの挿通孔に挿通紐を挿通することで２枚以上の四角シートを１列に連結して１方向に拡張した構成は、水平方向に拡げて使用すると横断幕とり、上下方向に拡げて使用すると垂れ幕や登り旗として使用できるので、各種の情報を大勢に告知する場合に重宝できる。なお、登り旗は垂れ幕に含まれるものとする。
【０００９】
請求項６は、１枚の四角シートの１辺の挿通孔に挿通した挿通紐を腰に巻くための取付け手段としてなることを特徴とする請求項１に記載のエプロン又はパレオである。このように、１枚の四角シートの１辺の挿通孔に挿通した挿通紐を腰に巻くための取付け手段としてなる構成はエプロンやパレオとしても使用できる。
【００１０】
請求項７は、１枚の四角シートの対角線上に対角線バーを配置して、それぞれの両端を角部の挿通孔に挿入支持すると共に、中央位置の交点を取っ手棒の上端に支持してなることを特徴とする請求項１に記載の簡易傘である。このように、１枚の四角シートの対角線上に対角線バーを配置して、それぞれの両端を角部の挿通孔に挿入支持すると共に、中央位置の交点を取っ手棒の上端に支持してなる構成は、簡易傘として使用できるので、傘を所持していない場合に、間に合わせに簡易式の傘を組み立てて使用でき、重宝できる。
【考案の効果】
【００１１】
請求項１のように、四角形のシートの各辺に挿通孔を所定の間隔で開けてあり、前記挿通孔に挿通する挿通紐を有しているため、このような多用途シートを１枚以上用意しておいて、挿通孔に挿通紐を挿通して結合したり、連結したりすることで、請求項２以下のように、傘や日除け、各種サイズの敷物、大小の袋、横断幕などとしても兼用可能となり、多用途のシートとして便利で重宝できる。
【００１２】
請求項２のように、２枚以上の四角シートの１辺同士を重ね又は隣接させると共に互いの挿通孔に挿通紐を挿通することで２枚以上の四角シートを連結してシート面積を拡張してなるため、屋内外で任意サイズの敷物として使用したり、風雨を避けたり、日除けなどのための空中シートとして重宝できる。
【００１３】
請求項３のように、単一の四角シート又は複数連結してなる拡張シートを二つ折りにして両側の辺の挿通孔に挿通紐を挿通して互いに結合し、残りの辺を開閉口としてなる構成は、各種の物品を収納する袋として使用でき、特に四角形のシート全体が袋となるので、大量に又は大型品でも収納でき、大型の袋状物入れとなる。
【００１４】
請求項４のように、単一の四角シート又は複数連結してなる拡張シートを２枚以上重ねた状態の１辺とその両側の辺の挿通孔に挿通紐を挿通して２枚以上の３辺を互いに結合し、残りの１辺を開閉口としてなる構成は、シート全面で袋が構成されるので、大型の袋となる。或いは２以上の袋を重ねた状態となるので、分別して収納するような場合に重宝できる。
【００１５】
請求項５のように、２枚以上の四角シートの隣接する辺同士を重ね又は隣接させると共に互いの挿通孔に挿通紐を挿通することで２枚以上の四角シートを１列に連結して１方向に拡張した構成は、水平方向に拡げて使用すると横断幕とり、上下方向に拡げて使用すると垂れ幕（登り旗を含む）として使用できるので、各種の情報を大勢に告知する場合に重宝できる。
【００１６】
請求項６のように、１枚の四角シートの１辺の挿通孔に挿通した挿通紐を腰に巻くための取付け手段としてなる構成はエプロンやパレオとしても使用できる。
【００１７】
請求項７のように、１枚の四角シートの対角線上に対角線バーを配置して、それぞれの両端を角部の挿通孔に挿入支持すると共に、中央位置の交点を取っ手棒の上端に支持してなる構成は、簡易傘として使用できるので、傘を所持していない場合に、間に合わせに簡易式の傘を組み立てて使用でき、重宝できる。
【考案を実施するための最良の形態】
【００１８】
次に本考案による多用途シートが実際上どのように具体化されるか実施形態を説明する。図１は本考案による多用途シートの実施形態を示す平面図である。多用途シート１は、四角形のシートからなり、その各辺１ａ、１ｂ、１ｃ、１ｄに挿通孔２…を所定の間隔で開けてある。この挿通孔２…は、挿通紐３を挿通するためのもので、各孔の補強のために鳩目などを取付けたり接着剤で固めるなどの補強処理をするのかよい。ボタン孔のように、糸でかがるのもよい。各辺１ａ〜１ｄの長さは５０〜１００ｃｍ程度が適しているが、この寸法に限定はされない。四角形であれば、必ずしも正方形である必要はなく、長方形も可能である。材質は、テント布などが適しているが、溌水処理した布でもよい。合成樹脂シートも可能である。挿通紐３は、多用途シート１の各辺１ａ〜１ｄを一周できる程度の長さが望ましく、丈夫であれば、材質は特に問わない。２本の対角線バー４・４と支柱５は付属品である。
【００１９】
図１の多用途シート１は、そのままで風呂敷としても使用できるが、請求項２〜７のように、用途に応じていろいろな使い方ができる。図２は、多用途シート１を２枚以上連結することによって、大面積のシートにする例であり、２枚以上の多用途シート１…の隣接する１辺同士を重ね、挿通孔２…同士も重ねた状態で、互いの挿通孔２…に挿通紐３を挿通して縫い合わせることで隣接する１辺同士を結合してある。このようにして、２枚以上の多用途シート１…をＸ・Ｙ２方向に連結すれば、シート面積を任意に拡張できる。したがって、例えば砂浜や野原、田畑などで敷く場合に好適であり、人数や用途などに応じて、任意の広さまで拡張できる。使用後は、中央に総ての物を集めて、その上に拡張シートの外側半分を被せると共に四隅を中央に集めて、隣接する辺の挿通孔２…同士を重ね又は辺同士を突き合わせて、挿通紐を挿通して縫い合わせると、一時的な保管に便利であり、そのまま運搬もできる。
【００２０】
真夏にボートや釣り舟などで釣りをするなどのレジャーでも、シートの四隅に支柱を立てて、それらの上端に取付けて屋根代わりに張設すれば、格好の日除けや雨除けになる。立てれば、走行用の帆の代用にもできる。或いは、アンカーが使えない水深で一定の場所に停泊するためのスカンパー帆としても使用できる。このとき、支柱を立てて帆状に取付けることは言うまでもない。
【００２１】
複数枚の多用途シート１をＸ方向だけに拡張して、横長のシートにすれば、図10（１）のように、横断幕にすることもできる。また、Ｙ方向だけに拡張して、縦長のシートにすれば、図10（２）のように登り旗にしたり、垂れ幕にすることもできる。複数枚の多用途シート１…を縦横に連結すると共に囲いを形成すると、その中で着替えをしたり、行水もできる。簡易トイレも設置可能である。多用途シートからなる囲いの内面に４〜５本の支柱を立てると安定するし、多角形の囲いとなる。
【００２２】
図３は、拡張する場合の他の連結方法である。図２の場合と違って、２枚以上の多用途シート１…の隣接する１辺同士を重ねるのではなく、隣接する１辺同士を突き合わせた状態にする。そして、互いに対応する挿通孔２…に挿通紐３を挿通することによって、連結する。このときの挿通紐３の通し方は、図示のような４通りがあるが、どの方法で連結してもよい。
【００２３】
図４は、多用途シートで袋状の物入れにした場合であり、図１の多用途シート１を図４（１）のように、Ｕ字状に二つ折りにし、次に（２）のように左右両側の辺１ａ同士、１ｃ同士を重ねた状態で、対応する上下の挿通孔２…に図２のように挿通紐３を上下に挿通して縫い合わせると、袋状になる。上向きの残った辺１ｂ・１ｄ間が開閉口となり、物を出し入れできる。上向きの辺１ｂ・１ｄも重ねて、上下の互いに対応する挿通孔２…に挿通紐を挿通して縫い合わせると閉鎖されるので、内部の物品が脱落するのを確実に防止できる。左右両端に他の挿通紐３の両端を連結すれば、肩掛け式も可能である。
【００２４】
図４は、１枚の多用途シート１で袋を構成した場合であるから、サイズは小さいが、図２、図３のように予め拡張した大型のシートを用いて、図４（１）（２）（３）の手順で袋にすれば、大容量の大型の袋ができる。
【００２５】
図５のように重ねて袋にすれば、多層構造の袋が可能となり、しかも同時に複数層の袋を構成することも可能である。図５において、例えば２枚の多用途シート１・１を重ねた状態で、手前の１辺１ｄ同士を重ねて、対応する挿通孔２…も重ねて挿通紐３で互いに縫い合わせると、図４（１）と同様な底部が形成される。次いで、左右の辺１ａ、１ｃ同士を重ねて、対応する挿通孔２…も重ねて挿通紐３で互いに縫い合わせると、図４（２）のような袋状となる。上側の残りの１辺１ｂ・１ｂ間が開閉口となるので、ここから内部に収納物を挿入してから、開口辺１ｂ・１ｂの挿通孔２…を重ねて挿通紐３を挿通し縫い合わせると、内部の収納物の脱落を防止できる。なお、１枚の多用途シート１の上に収納物を置いてから、外周の４辺を挿通紐３で縫い合わせることも可能で、重い物や動かせない物を収納する場合に適している。
【００２６】
図５は多用途シート１を２枚重ねた場合であるが、３枚以上を重ねて、３枚以上の対応する挿通孔２…に挿通紐を挿通し、縫い合わせると、同時に２以上の袋が形成される。したがって、別々の袋中に分別して収納する場合に便利である。図５は１枚の多用途シート１を２枚重ねにしたが、図２、図３のように拡張した大面積のシートを２枚以上重ねて、３辺の挿通孔２…に挿通紐３を挿通し縫い合わせると、大容量の大型袋となる。
【００２７】
図６は、多用途シート１でエプロン又はパレオを構成した例である。１枚の多用途シート１をそのままでエプロン又はパレオにする場合は、１枚の四角シート１の１辺１ｂの挿通孔２…に挿通した挿通紐３を腰に巻くための取付け手段として用いる。長過ぎる場合は、上側の辺１ｂと下側の辺１ｄの２辺に挿通紐３を挿通すると共に、図４（１）のように二つ折りにして、上下２辺１ｂ・１ｄを腰に巻くと、半分の長さにできる。図４（２）のように両側の辺を挿通紐３で縫い合わせてあると、腰に巻いた状態で、二重のエプロン又はパレオの内部を一時的な物入れとしても利用できる。海浜や野山、田畑などで使用すれば、採取した物を入れるのに便利であり、そのまま持ち帰ることもできる。
【００２８】
図１の付属品４・５を併用すれば、簡易式の傘にもできる。すなわち、図７のように、１枚の四角シート１の対角線上に対角線バー４・４を配置すると共に、両端の先端を四隅の挿通孔２ｃに挿入すると、先端の十字の横バー６がストッパーとなって、２本の対角線バー４・４が対角線上にクロスに取付けられる。次に、図８のように、支柱５上端の十字方向のスリット７に、２本の対角線バー４・４のクロス点を嵌め込むと、傘のような状態となる。
【００２９】
次いで、支柱５の横向き貫通孔８に挿通紐３を挿通して、両端を対角線バー４先端の前記十字部につなぐ。同様にして、もう１本の挿通紐３も他の直角方向の横孔８に挿通して、両端をもう１本の対角線バー４先端の十字部につなぐと、図８のような、ちょうど傘のように湾曲した勾配ができる。したがって、支柱５を手に持って、取っ手棒にすれば、傘を差すことができる。このとき、図７の傘の多用途シート１同士を前記の要領で連結すれば、図９のような連結構造の多連傘となり、二人以上で差す場合に有効である。
【００３０】
以上の実施形態の他にもいろいろな使い方ができる。例えば、図５のように２枚の多用途シート１・１を重ねた状態で、１辺の両側のみ挿通紐で縫い合わせた状態で、間から頭を挿入して被り、両腕の下側において、左右の縦辺同士を挿通紐で縫い合わせると、スポーツなどの際にゼッケンとして使用できる。寒い時期に防寒用としても使用でき、背中の冷えを防げる。このとき、背中側の多用途シート１に重ねて、図４や図５の要領で袋を形成しておけば、急ごしらえのリュックサックとなり、登山やハイキングの際に便利である。胸側の前の多用途シート１に重ねて袋を形成すると前袋となり、採取しながら収納するのに便利である。
【産業上の利用可能性】
【００３１】
以上のように、本考案によると、四角形のシートの各辺に挿通孔を所定の間隔で開け、前記挿通孔に挿通する挿通紐を設けることで、１枚の多用途シートをそのまま、又は２枚以上結合したり、連結したりすることによって、傘や日除け、帆、フリーサイズの敷物、大容量袋、横断幕などとして、多種多様な使い方ができる。
【図面の簡単な説明】
【００３２】
【図１】本考案による多用途シートの実施形態を示す平面図である。
【図２】多用途シートを２枚以上連結して大面積にする実施形態である。
【図３】２枚以上の多用途シートを連結する場合の他の連結方法である。
【図４】多用途シートで袋状の物入れを製作する実施形態で、（１）は二つ折り状態、（２）は左右両側の縫い合わせ状態、（３）は完成状態である。
【図５】多用途シートを重ねることで多層の袋状物入れを製作する実施形態である。
【図６】多用途シートをエプロンやパレオにする実施形態である。
【図７】多用途シートを簡易式の傘にした状態の斜視図である。
【図８】図７の簡易傘の製作法を示す側面図である。
【図９】２枚以上の多用途シートを連結してなる連結傘の斜視図である。
【図１０】２枚以上の多用途シートの連結状態で、（１）は横方向に連結してなる横断幕、（２）は縦方向に連結してなる登り旗又は垂れ幕である。
【符号の説明】
【００３３】
１  多用途シート
１ａ〜１ｄ  多用途シートの各辺
２  挿通孔
３  挿通紐
４  対角線バー
５  取っ手支柱
６  十字の横バー
７  十字方向のスリット
８  横向き貫通孔
【図１】
0003133123.tif 000003
【図２】
0003133123.tif 000004
【図３】
0003133123.tif 000005
【図４】
0003133123.tif 000006
【図５】
0003133123.tif 000007
【図６】
0003133123.tif 000008
【図７】
0003133123.tif 000009
【図８】
0003133123.tif 000010
【図９】
0003133123.tif 000011
【図１０】
0003133123.tif 000012
【手続補正書】
【提出日】平成19年4月23日(2007.4.23)
【手続補正１】
【補正対象書類名】実用新案登録請求の範囲
【補正対象項目名】全文
【補正方法】変更
【補正の内容】
【実用新案登録請求の範囲】
【請求項１】
四角形のシートの各辺に挿通孔を所定の間隔で開けてあり、前記挿通孔に挿通する挿通紐を有していることを特徴とする多用途シート。
【請求項２】
２枚以上の請求項１に記載の多用途シートの１辺同士を重ね又は隣接させると共に互いの挿通孔に挿通紐を挿通することで２枚以上の前記多用途シートを連結してシート面積を拡張してなることを特徴とする敷物又は空中シート。
【請求項３】
単一の請求項１に記載の多用途シート又は前記多用途シートを複数連結してなる面積拡張シートを二つ折りにして両側の辺の挿通孔に挿通紐を挿通して互いに結合し、残りの辺を開閉口としてなることを特徴とする袋状の物入れ。  
【請求項４】
単一の請求項１に記載の多用途シート又は前記多用途シートを複数連結してなる面積拡張シートを２枚以上重ねた状態の１辺とその両側の辺の挿通孔に挿通紐を挿通して、重ねた２枚以上の３辺を互いに結合し、残りの１辺を開閉口としてなることを特徴とする袋状の物入れ。
【請求項５】
請求項１に記載の多用途シートを２枚以上１方向に隣接させると共に、隣接する辺同士を重ね又は隣接させた状態で互いの挿通孔に挿通紐を挿通することで、２枚以上の前記多用途シートを１列に連結して１方向に拡張したことを特徴とする横断幕又は垂れ幕。
【請求項６】
１枚の請求項１に記載の多用途シートの１辺の挿通孔に挿通した挿通紐を、腰に巻くための取付け手段としてなることを特徴とするエプロン又はパレオ。
【請求項７】
１枚の請求項１に記載の多用途シートの対角線上に対角線バーを配置して、それぞれの両端を角部の挿通孔に挿入支持すると共に、中央位置の交点を取っ手棒の上端に支持してなることを特徴とする簡易傘。
【手続補正２】
【補正対象書類名】明細書
【補正対象項目名】全文
【補正方法】変更
【補正の内容】
【考案の詳細な説明】
【技術分野】
【０００１】
本考案は、１枚以上の四角シートによって傘や日除け、フリーサイズの敷物、大小の袋、横断幕などとして使用できる多用途シートに関する。
【背景技術】
【０００２】
実用新案登録第3122596 号によると、１枚の四角形のシートを用いて携帯が容易な多用途な買い物袋を提供することが提案されている。また、特開2002−114262号では、方形の布の四周に折り返し縁を形成して折り返し縁内の空間を四隅の開口部に連通し、空間にエンドレスの紐を挿通すると共に、この紐を開口部から取り出し、各様に絞り込むことにより収納部を形成することが提案されている。
【特許文献１】実用新案登録第3122596 号
【特許文献２】特開2002−114262号
【考案の開示】
【考案が解決しようとする課題】
【０００３】
しかしながら、特許文献１の構造では、１枚の四角形のシートで買い物袋を構成できると共に、使用しない場合は、風呂敷のように拡げて小さく折り畳んで携帯できるという利点はあるものの、用途は買い物袋専用である。一方、特許文献２の構造は、各辺縁を拡げた状態では方形の布となって一般的な風呂敷として使用できる上、紐によって四方の辺縁を絞り込むと隙間のない各様の袋状収納部を形成できる効果はあるが、これ以上の用途は不可能である。例えば、傘や日除け、フリーサイズの敷物、大小の袋、横断幕などとしても兼用可能とすることは不可能である。本考案の技術的課題は、このような問題に着目し、１枚以上の四角シートを結合したり、連結したりすることで、傘や日除け、敷物、大容量袋、横断幕などとしても兼用できる多用途シートを実現することにある。
【課題を解決するための手段】
【０００４】
本考案の技術的課題は次のような手段によって解決される。請求項１は、四角形のシートの各辺に挿通孔を所定の間隔で設けてあり、前記挿通孔に挿通する挿通紐を有していることを特徴とする多用途シートである。このように、四角形のシートの各辺に挿通孔を所定の間隔で設けてあり、前記挿通孔に挿通する挿通紐を有しているため、このような多用途シートを１枚以上用意しておいて、挿通孔に挿通紐を挿通して結合したり、連結したりすることで、請求項２以下のように、傘や日除け、各種サイズの敷物、大小の袋、横断幕などとしても兼用可能となり、多用途のシートとして便利で重宝できる。
【０００５】
請求項２は、２枚以上の請求項１に記載の多用途シートの１辺同士を重ね又は隣接させると共に互いの挿通孔に挿通紐を挿通することで２枚以上の前記多用途シートを連結してシート面積を拡張してなることを特徴とする敷物又は空中シートである。このように、２枚以上の多用途シートの１辺同士を重ね又は隣接させると共に互いの挿通孔に挿通紐を挿通することで２枚以上の多用途シートを連結してシート面積を拡張してなるため、屋内外で任意サイズの敷物として使用したり、風雨を避けたり、日除けなどのための空中シートとして重宝できる。
【０００６】
請求項３は、単一の請求項１に記載の多用途シート又は前記多用途シートを複数連結してなる面積拡張シートを二つ折りにして両側の辺の挿通孔に挿通紐を挿通して互いに結合し、残りの辺を開閉口としてなることを特徴とする袋状の物入れである。このように、単一の多用途シート又は複数連結してなる拡張シートを二つ折りにして両側の辺の挿通孔に挿通紐を挿通して互いに結合し、残りの辺を開閉口としてなる構成は、各種の物品を収納する袋として使用でき、特に多用途シートのシート全体が袋となるので、大量に又は大型品でも収納でき、大型の袋状物入れとなる。
【０００７】
請求項４は、単一の請求項１に記載の多用途シート又は前記多用途シートを複数連結してなる面積拡張シートを２枚以上重ねた状態の１辺とその両側の辺の挿通孔に挿通紐を挿通して、重ねた２枚以上の３辺を互いに結合し、残りの１辺を開閉口としてなることを特徴とする袋状の物入れである。このように、単一の多用途シート又は複数連結してなる面積拡張シートを２枚以上重ねた状態の１辺とその両側の辺の挿通孔に挿通紐を挿通して、重ねた２枚以上の３辺を互いに結合し、残りの１辺を開閉口としてなる構成は、シート全面で袋が構成されるので、大型の袋となる。或いは２以上の袋を重ねた状態となるので、分別して収納するような場合に重宝できる。
【０００８】
請求項５は、請求項１に記載の多用途シートを２枚以上１方向に隣接させると共に、隣接する辺同士を重ね又は隣接させた状態で互いの挿通孔に挿通紐を挿通することで、２枚以上の前記多用途シートを１列に連結して１方向に拡張したことを特徴とする横断幕又は垂れ幕である。このように、２枚以上の多用途シートの隣接する辺同士を重ね又は隣接させると共に互いの挿通孔に挿通紐を挿通することで、２枚以上の多用途シートを１列に連結して１方向に拡張した構成は、水平方向に拡げて使用すると横断幕とり、上下方向に拡げて使用すると垂れ幕や登り旗として使用できるので、各種の情報を大勢に告知する場合に重宝できる。なお、登り旗は垂れ幕に含まれるものとする。
【０００９】
請求項６は、１枚の請求項１に記載の多用途シートの１辺の挿通孔に挿通した挿通紐を、腰に巻くための取付け手段としてなることを特徴とするエプロン又はパレオである。このように、１枚の多用途シートの１辺の挿通孔に挿通した挿通紐を、腰に巻くための取付け手段としてなる構成はエプロンやパレオとしても使用できる。
【００１０】
請求項７は、１枚の請求項１に記載の多用途シートの対角線上に対角線バーを配置して、それぞれの両端を角部の挿通孔に挿入支持すると共に、中央位置の交点を取っ手棒の上端に支持してなることを特徴とする簡易傘である。このように、１枚の多用途シートの対角線上に対角線バーを配置して、それぞれの両端を角部の挿通孔に挿入支持すると共に、中央位置の交点を取っ手棒の上端に支持してなる構成は、簡易傘として使用できるので、傘を所持していない場合に、間に合わせに簡易式の傘を組み立てて使用でき、重宝できる。
【考案の効果】
【００１１】
請求項１のように、四角形のシートの各辺に挿通孔を所定の間隔で開けてあり、前記挿通孔に挿通する挿通紐を有しているため、このような多用途シートを１枚以上用意しておいて、挿通孔に挿通紐を挿通して結合したり、連結したりすることで、請求項２以下のように、傘や日除け、各種サイズの敷物、大小の袋、横断幕などとしても兼用可能となり、多用途のシートとして便利で重宝できる。
【００１２】
請求項２のように、２枚以上の多用途シートの１辺同士を重ね又は隣接させると共に互いの挿通孔に挿通紐を挿通することで２枚以上の多用途シートを連結してシート面積を拡張してなるため、屋内外で任意サイズの敷物として使用したり、風雨を避けたり、日除けなどのための空中シートとして重宝できる。
【００１３】
請求項３のように、単一の多用途シート又は複数連結してなる拡張シートを二つ折りにして両側の辺の挿通孔に挿通紐を挿通して互いに結合し、残りの辺を開閉口としてなる構成は、各種の物品を収納する袋として使用でき、特に多用途シートのシート全体が袋となるので、大量に又は大型品でも収納でき、大型の袋状物入れとなる。
【００１４】
請求項４のように、単一の多用途シート又は複数連結してなる面積拡張シートを２枚以上重ねた状態の１辺とその両側の辺の挿通孔に挿通紐を挿通して、重ねた２枚以上の３辺を互いに結合し、残りの１辺を開閉口としてなる構成は、シート全面で袋が構成されるので、大型の袋となる。或いは２以上の袋を重ねた状態となるので、分別して収納するような場合に重宝できる。
【００１５】
請求項５のように、２枚以上の多用途シートの隣接する辺同士を重ね又は隣接させると共に互いの挿通孔に挿通紐を挿通することで、２枚以上の多用途シートを１列に連結して１方向に拡張した構成は、水平方向に拡げて使用すると横断幕とり、上下方向に拡げて使用すると垂れ幕（登り旗を含む）として使用できるので、各種の情報を大勢に告知する場合に重宝できる。
【００１６】
請求項６のように、１枚の多用途シートの１辺の挿通孔に挿通した挿通紐を、腰に巻くための取付け手段としてなる構成はエプロンやパレオとしても使用できる。
【００１７】
請求項７のように、１枚の多用途シートの対角線上に対角線バーを配置して、それぞれの両端を角部の挿通孔に挿入支持すると共に、中央位置の交点を取っ手棒の上端に支持してなる構成は、簡易傘として使用できるので、傘を所持していない場合に、間に合わせに簡易式の傘を組み立てて使用でき、重宝できる。
【考案を実施するための最良の形態】
【００１８】
次に本考案による多用途シートが実際上どのように具体化されるか実施形態を説明する。図１は本考案による多用途シートの実施形態を示す平面図である。多用途シート１は、四角形のシートからなり、その各辺１ａ、１ｂ、１ｃ、１ｄに挿通孔２…を所定の間隔で開けてある。この挿通孔２…は、挿通紐３を挿通するためのもので、各孔の補強のために鳩目などを取付けたり接着剤で固めるなどの補強処理をするのかよい。ボタン孔のように、糸でかがるのもよい。各辺１ａ〜１ｄの長さは５０〜１００ｃｍ程度が適しているが、この寸法に限定はされない。四角形であれば、必ずしも正方形である必要はなく、長方形も可能である。材質は、テント布などが適しているが、溌水処理した布でもよい。合成樹脂シートも可能である。挿通紐３は、多用途シート１の各辺１ａ〜１ｄを一周できる程度の長さが望ましく、丈夫であれば、材質は特に問わない。２本の対角線バー４・４と支柱５は付属品である。
【００１９】
図１の多用途シート１は、そのままで風呂敷としても使用できるが、請求項２〜７のように、用途に応じていろいろな使い方ができる。図２は、多用途シート１を２枚以上連結することによって、大面積のシートにする例であり、２枚以上の多用途シート１…の隣接する１辺同士を重ね、挿通孔２…同士も重ねた状態で、互いの挿通孔２…に挿通紐３を挿通して縫い合わせることで隣接する１辺同士を結合してある。このようにして、２枚以上の多用途シート１…をＸ・Ｙ２方向に連結すれば、シート面積を任意に拡張できる。したがって、例えば砂浜や野原、田畑などで敷く場合に好適であり、人数や用途などに応じて、任意の広さまで拡張できる。使用後は、中央に総ての物を集めて、その上に拡張シートの外側半分を被せると共に四隅を中央に集めて、隣接する辺の挿通孔２…同士を重ね又は辺同士を突き合わせて、挿通紐を挿通して縫い合わせると、一時的な保管に便利であり、そのまま運搬もできる。
【００２０】
真夏にボートや釣り舟などで釣りをするなどのレジャーでも、シートの四隅に支柱を立てて、それらの上端に取付けて屋根代わりに張設すれば、格好の日除けや雨除けになる。立てれば、走行用の帆の代用にもできる。或いは、アンカーが使えない水深で一定の場所に停泊するためのスカンパー帆としても使用できる。このとき、支柱を立てて帆状に取付けることは言うまでもない。
【００２１】
複数枚の多用途シート１をＸ方向だけに拡張して、横長のシートにすれば、図10（１）のように、横断幕にすることもできる。また、Ｙ方向だけに拡張して、縦長のシートにすれば、図10（２）のように登り旗にしたり、垂れ幕にすることもできる。複数枚の多用途シート１…を縦横に連結すると共に囲いを形成すると、その中で着替えをしたり、行水もできる。簡易トイレも設置可能である。多用途シートからなる囲いの内面に４〜５本の支柱を立てると安定するし、多角形の囲いとなる。
【００２２】
図３は、拡張する場合の他の連結方法である。図２の場合と違って、２枚以上の多用途シート１…の隣接する１辺同士を重ねるのではなく、隣接する１辺同士を突き合わせた状態にする。そして、互いに対応する挿通孔２…に挿通紐３を挿通することによって、連結する。このときの挿通紐３の通し方は、図示のような４通りがあるが、どの方法で連結してもよい。
【００２３】
図４は、多用途シートで袋状の物入れにした場合であり、図１の多用途シート１を図４（１）のように、Ｕ字状に二つ折りにし、次に（２）のように左右両側の辺１ａ同士、１ｃ同士を重ねた状態で、対応する上下の挿通孔２…に図２のように挿通紐３を上下に挿通して縫い合わせると、袋状になる。上向きの残った辺１ｂ・１ｄ間が開閉口となり、物を出し入れできる。上向きの辺１ｂ・１ｄも重ねて、上下の互いに対応する挿通孔２…に挿通紐を挿通して縫い合わせると閉鎖されるので、内部の物品が脱落するのを確実に防止できる。左右両端に他の挿通紐３の両端を連結すれば、肩掛け式も可能である。
【００２４】
図４は、１枚の多用途シート１で袋を構成した場合であるから、サイズは小さいが、図２、図３のように予め拡張した大型のシートを用いて、図４（１）（２）（３）の手順で袋にすれば、大容量の大型の袋ができる。
【００２５】
図５のように重ねて袋にすれば、多層構造の袋が可能となり、しかも同時に複数層の袋を構成することも可能である。図５において、例えば２枚の多用途シート１・１を重ねた状態で、手前の１辺１ｄ同士を重ねて、対応する挿通孔２…も重ねて挿通紐３で互いに縫い合わせると、図４（１）と同様な底部が形成される。次いで、左右の辺１ａ、１ｃ同士を重ねて、対応する挿通孔２…も重ねて挿通紐３で互いに縫い合わせると、図４（２）のような袋状となる。上側の残りの１辺１ｂ・１ｂ間が開閉口となるので、ここから内部に収納物を挿入してから、開口辺１ｂ・１ｂの挿通孔２…を重ねて挿通紐３を挿通し縫い合わせると、内部の収納物の脱落を防止できる。なお、１枚の多用途シート１の上に収納物を置いてから、外周の４辺を挿通紐３で縫い合わせることも可能で、重い物や動かせない物を収納する場合に適している。
【００２６】
図５は多用途シート１を２枚重ねた場合であるが、３枚以上を重ねて、３枚以上の対応する挿通孔２…に挿通紐を挿通し、縫い合わせると、同時に２以上の袋が形成される。したがって、別々の袋中に分別して収納する場合に便利である。図５は１枚の多用途シート１を２枚重ねにしたが、図２、図３のように拡張した大面積のシートを２枚以上重ねて、３辺の挿通孔２…に挿通紐３を挿通し縫い合わせると、大容量の大型袋となる。
【００２７】
図６は、多用途シート１でエプロン又はパレオを構成した例である。１枚の多用途シート１をそのままでエプロン又はパレオにする場合は、１枚の四角シート１の１辺１ｂの挿通孔２…に挿通した挿通紐３を腰に巻くための取付け手段として用いる。長過ぎる場合は、上側の辺１ｂと下側の辺１ｄの２辺に挿通紐３を挿通すると共に、図４（１）のように二つ折りにして、上下２辺１ｂ・１ｄを腰に巻くと、半分の長さにできる。図４（２）のように両側の辺を挿通紐３で縫い合わせてあると、腰に巻いた状態で、二重のエプロン又はパレオの内部を一時的な物入れとしても利用できる。海浜や野山、田畑などで使用すれば、採取した物を入れるのに便利であり、そのまま持ち帰ることもできる。
【００２８】
図１の付属品４・５を併用すれば、簡易式の傘にもできる。すなわち、図７のように、１枚の四角シート１の対角線上に対角線バー４・４を配置すると共に、両端の先端を四隅の挿通孔２ｃに挿入すると、先端の十字の横バー６がストッパーとなって、２本の対角線バー４・４が対角線上にクロスに取付けられる。次に、図８のように、支柱５上端の十字方向のスリット７に、２本の対角線バー４・４のクロス点を嵌め込むと、傘のような状態となる。
【００２９】
次いで、支柱５の横向き貫通孔８に挿通紐３を挿通して、両端を対角線バー４先端の前記十字部につなぐ。同様にして、もう１本の挿通紐３も他の直角方向の横孔８に挿通して、両端をもう１本の対角線バー４先端の十字部につなぐと、図８のような、ちょうど傘のように湾曲した勾配ができる。したがって、支柱５を手に持って、取っ手棒にすれば、傘を差すことができる。このとき、図７の傘の多用途シート１同士を前記の要領で連結すれば、図９のような連結構造の多連傘となり、二人以上で差す場合に有効である。
【００３０】
以上の実施形態の他にもいろいろな使い方ができる。例えば、図５のように２枚の多用途シート１・１を重ねた状態で、１辺の両側のみ挿通紐で縫い合わせた状態で、間から頭を挿入して被り、両腕の下側において、左右の縦辺同士を挿通紐で縫い合わせると、スポーツなどの際にゼッケンとして使用できる。寒い時期に防寒用としても使用でき、背中の冷えを防げる。このとき、背中側の多用途シート１に重ねて、図４や図５の要領で袋を形成しておけば、急ごしらえのリュックサックとなり、登山やハイキングの際に便利である。胸側の前の多用途シート１に重ねて袋を形成すると前袋となり、採取しながら収納するのに便利である。
【産業上の利用可能性】
【００３１】
以上のように、本考案によると、四角形のシートの各辺に挿通孔を所定の間隔で開け、前記挿通孔に挿通する挿通紐を設けることで、１枚の多用途シートをそのまま、又は２枚以上結合したり、連結したりすることによって、傘や日除け、帆、フリーサイズの敷物、大容量袋、横断幕などとして、多種多様な使い方ができる。
【図面の簡単な説明】
【００３２】
【図１】本考案による多用途シートの実施形態を示す平面図である。
【図２】多用途シートを２枚以上連結して大面積にする実施形態である。
【図３】２枚以上の多用途シートを連結する場合の他の連結方法である。
【図４】多用途シートで袋状の物入れを製作する実施形態で、（１）は二つ折り状態、（２）は左右両側の縫い合わせ状態、（３）は完成状態である。
【図５】多用途シートを重ねることで多層の袋状物入れを製作する実施形態である。
【図６】多用途シートをエプロンやパレオにする実施形態である。
【図７】多用途シートを簡易式の傘にした状態の斜視図である。
【図８】図７の簡易傘の製作法を示す側面図である。
【図９】２枚以上の多用途シートを連結してなる連結傘の斜視図である。
【図１０】２枚以上の多用途シートの連結状態で、（１）は横方向に連結してなる横断幕、（２）は縦方向に連結してなる登り旗又は垂れ幕である。
【符号の説明】
【００３３】
１  多用途シート
１ａ〜１ｄ  多用途シートの各辺
２  挿通孔
３  挿通紐
４  対角線バー
５  取っ手支柱
６  十字の横バー
７  十字方向のスリット
８  横向き貫通孔